(57)【特許請求の範囲】
【請求項１】
本体部と、
前記本体部を覆うように取り付けられるグリルと、
前記グリルが前記本体部に取り付けられた状態で、前記本体部に対して着脱可能な電気機器とを備え、
前記電気機器は、前記本体部に装着された際に前記本体部内に設けられた本体接続部に対して電気的に接続される接続部を有しており、
前記グリルは、前記電気機器が前記本体部に取り付けられた状態において、前記本体部から取り外せないように構成されていることを特徴とする空気調和機の室内機。
【請求項２】
前記グリルは、前記本体部に対して固定部材によって固定されるものであって、
前記電気機器の一部は、前記本体部に装着された状態において、前記グリルを前記本体部に固定している前記固定部材を覆うことを特徴とする請求項１に記載の空気調和機の室内機。
【請求項３】
前記電気機器の一部によって覆われた前記固定部材は、目視可能であることを特徴とする請求項２に記載の空気調和機の室内機。
【請求項４】
前記電気機器は、前記本体部に向かう方向に押されることによって前記本体部に装着されるものであって、
前記電気機器を前記本体部に装着するために必要となる押圧力が、前記電気機器の前記本体部への装着完了前において増加することを特徴とする請求項１〜３のいずれか１項に記載の空気調和機の室内機。
【請求項５】
前記接続部および前記本体接続部の少なくとも一方は、弾性変形可能な金属板で構成されており、前記電気機器が前記本体部に装着される際に他方から作用する押圧力によって弾性変形することを特徴とする請求項４に記載の空気調和機の室内機。
【請求項６】
前記電気機器は、第１係合部を有し、
前記グリルは、前記第１係合部に係合可能な第２係合部を有しており、
前記第１係合部が前記第２係合部に係合することによって、前記本体部に装着された前記電気機器が前記グリルに保持されることを特徴とする請求項１〜５のいずれか１項に記載の空気調和機の室内機。
【請求項７】
前記本体部は、ファンを収容すると共に、
活性種を生成する活性種生成装置を備えており、
前記電気機器は、前記活性種生成装置の全体または一部であることを特徴とする請求項１〜６のいずれか１項に記載の空気調和機の室内機。
【発明の詳細な説明】
【技術分野】
【０００１】
本発明は、空気調和機の室内機に関するものである。
【背景技術】
【０００２】
空気調和機は、室内に設置される室内機と、室外に設置される室外機とを備えるものが一般的である。室内機は、ファンや熱交換器を収容する本体部と、本体部を覆うように本体部に着脱自在に取り付けられるグリルとを備えている（例えば特許文献１参照）。
【先行技術文献】
【特許文献】
【０００３】
【特許文献１】特開２０１０−０６５９０４号公報
【発明の概要】
【発明が解決しようとする課題】
【０００４】
ところで、室内機として、グリルが取り付けられた本体部に対して、電気機器を着脱可能に構成することが考えられる。この電気機器は、本体部に設けられた本体接続部に電気的に接続可能な接続部を有している。したがって、電気機器が本体部に装着されることで、電気機器の接続部が本体部の本体接続部に電気的に接続される。そして、室内機において、グリルが本体部から取り外される際に、電気機器ごと取り外し可能に構成することもできる。しかしながら、このような室内機では、グリルが電気機器ごと本体部から取り外された後で、再度、グリルだけが本体部に向かって押されながら取り付けられた場合に、グリルが本体部に適正に取り付けられたにもかかわらず、電気機器が本体部に確実に取り付けられないことがある。このとき、本体部の本体接続部と電気機器の接続部との間で、電気的な接続不良が生じてしまう。
【０００５】
そこで、本発明の目的は、電気機器と本体部との間における電気的な接続不良を防止できる空気調和機の室内機を提供することである。
【課題を解決するための手段】
【０００６】
上記課題を解決するために、第１の発明に係る空気調和機の室内機は、本体部と、前記本体部を覆うように取り付けられるグリルと、前記グリルが前記本体部に取り付けられた状態で、前記本体部に対して着脱可能な電気機器とを備え、前記電気機器は、前記本体部に装着された際に前記本体部内に設けられた本体接続部に対して電気的に接続される接続部を有しており、前記グリルは、前記電気機器が前記本体部に取り付けられた状態において、前記本体部から取り外せないように構成されていることを特徴とする。
【０００７】
この空気調和機の室内機では、電気部品を本体部から取り外さないと、グリルを本体部から取り外すことができない。そのため、電気機器は、グリルが本体部から取り外される前に、必ず、本体部から単独で取り外される。したがって、グリルが電気機器ごと本体部から取り外されることがなくなることから、グリルと電気機器は本体部に対して個別に取り付けられるようになる。その結果、電気機器の接続部と本体接続部との間における電気的な接続不良を防止することができる。
【０００８】
第２の発明に係る空気調和機の室内機は、第１の発明において、前記グリルは、前記本体部に対して固定部材によって固定されるものであって、前記電気機器の一部は、前記本体部に装着された状態において、前記グリルを前記本体部に固定している前記固定部材を覆うことを特徴とする。
【０００９】
この空気調和機の室内機では、電気機器の一部で固定部材を覆うという簡易な構成によって、電気機器が本体部に装着されているときにグリルを本体部から取り外せないようにできる。
【００１０】
第３の発明に係る空気調和機の室内機は、第２の発明において、前記電気機器の一部によって覆われた前記固定部材は、目視可能であることを特徴とする。
【００１１】
この空気調和機の室内機では、グリルを本体部から取り外す際に、固定部材を作業者が確認できるため、取り外し作業に支障を来さないようにできる。
なお、電気機器の一部によって覆われた固定部材が目視可能であるとは、固定部材が完全には覆われていない場合と、電気機器の固定部材を覆う部分が透明である場合を含む。
【００１２】
第４の発明に係る空気調和機の室内機は、第１〜第３のいずれかの発明において、前記電気機器は、前記本体部に向かう方向に押されることによって前記本体部に装着されるものであって、前記電気機器を前記本体部に装着するために必要となる押圧力が、前記電気機器の前記本体部への装着完了前において増加することを特徴とする。
【００１３】
この空気調和機の室内機では、電気機器を本体部に押し込んで装着することにより、電気機器の接続部が本体部から抜けにくくなると共に、接続部と本体接続部とを安定して電気的に接続させることができる。
【００１４】
第５の発明に係る空気調和機の室内機は、第４の発明において、前記接続部および前記本体接続部の少なくとも一方は、弾性変形可能な金属板で構成されており、前記電気機器が前記本体部に装着される際に他方から作用する押圧力によって弾性変形することを特徴とする。
【００１５】
この空気調和機の室内機では、接続部と本体接続部の一方を構成する金属板は、他方に押圧されて弾性変形した状態で他方に接触しているため、本体接続部と接続部とを確実に接触させることができる。
【００１６】
第６の発明に係る空気調和機の室内機は、第１〜第５のいずれかの発明において、前記電気機器は、第１係合部を有し、前記グリルは、前記第１係合部に係合可能な第２係合部を有しており、前記第１係合部が前記第２係合部に係合することによって、前記本体部に装着された前記電気機器が前記グリルに保持されることを特徴とする。
【００１７】
この空気調和機の室内機では、電気機器とグリルは互いに係合する第１係合部と第２係合部を有しているため、第１係合部と第２係合部の係合によって、本体部に装着された電気機器をグリルに確実に保持させることができる。
【００１８】
第７の発明に係る空気調和機の室内機は、第１〜第６のいずれかの発明において、前記本体部は、ファンを収容すると共に、活性種を生成する活性種生成装置を備えており、前記電気機器は、前記活性種生成装置の全体または一部であることを特徴とする。
【００１９】
この空気調和機の室内機では、高電圧を使用する活性種生成装置の全体または一部を、本体部に確実に接続することができる。
【発明の効果】
【００２０】
以上の説明に述べたように、本発明によれば、以下の効果が得られる。
【００２１】
第１の発明では、電気部品を本体部から取り外さないと、グリルを本体部から取り外すことができない。そのため、電気機器は、グリルが本体部から取り外される前に、必ず、本体部から単独で取り外される。したがって、グリルが電気機器ごと本体部から取り外されることがなくなることから、グリルと電気機器は、本体部に対して個別に取り付けられるようになる。その結果、電気機器の接続部と本体接続部との間における電気的な接続不良を防止することができる。
【００２２】
第２の発明では、電気機器の一部で固定部材を覆うという簡易な構成によって、電気機器が本体部に装着されているときにグリルを本体部から取り外せないようにできる。
【００２３】
第３の発明では、グリルを本体部から取り外す際に、固定部材を作業者が確認できるため、取り外し作業に支障を来さないようにできる。
【００２４】
第４の発明では、電気機器を本体部に押し込んで装着することにより、電気機器の接続部が本体部から抜けにくくなると共に、接続部と本体接続部とを安定して電気的に接続させることができる。
【００２５】
第５の発明では、接続部と本体接続部の一方を構成する金属板は、他方に押圧されて弾性変形した状態で他方に接触しているため、本体接続部と接続部とを確実に接触させることができる。
【００２６】
第６の発明では、電気機器とグリルは互いに係合する第１係合部と第２係合部を有しているため、第１係合部と第２係合部の係合によって、本体部に装着された電気機器をグリルに確実に保持させることができる。
【００２７】
第７の発明では、高電圧を使用する活性種生成装置の全体または一部を、本体部に確実に接続することができる。
【図面の簡単な説明】
【００２８】
【図１】本発明の実施形態に係る室内機の斜視図である。
【図２】前面パネルが開いた状態の室内機の斜視図である。
【図３】前面パネルが開いた状態の室内機を略前方から視た斜視図である。
【図４】図３のＡ−Ａ線に沿った断面図である。
【図５】前面パネルと２つの脱臭フィルタユニットのうちの一方を取り外した状態の室内機の斜視図である。
【図６】前面パネルと清掃ユニットと防塵フィルタユニットとを取り外した状態の室内機の斜視図である。
【図７】グリルの分解斜視図である。
【図８】（ａ）はストリーマ放電部（電気機器）が装着された状態のグリルの部分拡大図であって、（ｂ）はグリルの部分拡大図である。
【図９】図３のＢ−Ｂ線に沿った部分拡大断面である。
【図１０】図３のＣ−Ｃ線に沿った部分拡大断面である。
【図１１】（ａ）はストリーマ放電ユニット（活性種生成装置）の一部を示す図であり、（ｂ）は（ａ）を下方から視た図であり、（ｃ）は（ａ）のＤ−Ｄ線に沿った断面図であり、（ｄ）は（ａ）のＥ−Ｅ線に沿った断面図である。
【図１２】ストリーマ放電部（電気機器）の分解斜視図である。
【図１３】（ａ）はストリーマ放電部（電気機器）の構成部品を示す図であり、（ｂ）は（ａ）のＧ−Ｇ線に沿った断面図である。
【発明を実施するための形態】
【００２９】
以下、本発明の実施形態に係る空気調和機の室内機１について説明する。
【００３０】
＜室内機１の概略構成＞
図１に示すように、本実施形態の室内機１は、全体として一方向に細長い形状を有しており、その長手方向が水平となるように室内の壁面に据え付けられるものである。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、図１に示す左右方向を単に「左右方向」と称する。
【００３１】
図２および図４に示すように、室内機１は、グリル１１とグリル１１に対して開閉可能に設けられる前面パネル１２とからなるケーシング１０と、ケーシング１０内に収容される本体部２０、２つの防塵フィルタユニット３０、清掃ユニット４０、２つの脱臭フィルタユニット５０、およびストリーマ放電ユニット（活性種生成装置）６０を備えている。本体部２０は、内部にファン２１と熱交換器２２とを収容している。また、図４および図９に示すように、室内機１は、ケーシング１０に形成された吸込口１３ａと吹出口１３ｂとを連通させる主流路２と、ケーシング１０に形成された補助吸込口３から吸い込まれた空気を主流路２に導く補助流路４（４ａ〜４ｅ）（図４、図９、図１０参照）を有している。なお、図３に示す矢印は、補助流路４の空気の流れを示している。
【００３２】
この室内機１においては、ファン２１の駆動により、吸込口１３ａと補助吸込口３とから室内の空気がケーシング１０内に吸い込まれる。吸込口１３ａから吸い込まれた空気は、防塵フィルタユニット３０を通過した後、直接または脱臭フィルタユニット５０を通過してから、熱交換器２２とファン２１とを通過して、ケーシング１０の下部に形成された吹出口１３ｂから室内に吹き出される（図４参照）。また、補助吸込口３からケーシング１０内に吸い込まれた空気は、ストリーマ放電ユニット６０を通過した後（図３の矢印参照）、防塵フィルタユニット３０と脱臭フィルタユニット５０と熱交換器２２とファン２１とを順に通過して吹出口１３ｂから室内に吹き出される（図４参照）。
【００３３】
＜室内機１の構成要素＞
［ケーシング１０］
図４等に示すように、ケーシング１０は、後方が開口した略直方体状の箱状に形成されたグリル１１と、グリル１１の前面を覆う前面パネル１２とから構成されている。
【００３４】
（グリル１１）
グリル１１は、本体部２０を覆うように、本体部２０に取り付けられている。図７に示すように、グリル１１は、グリル本体１３と、取付部６３と、蓋部６６とを有する。取付部６３および蓋部６６は、ストリーマ放電ユニット６０の一部を兼ねている。
【００３５】
図６に示すように、グリル本体１３の前面には、３つのネジ用凹部１７ａ、１７ｂ、１７ｃが形成されている。図８に示すように、ネジ用凹部１７ａは、その奥面に孔を有しており、この孔に挿通されるネジ（固定部材）１６によってグリル本体１３は本体部２０に取り付けられている。ネジ用凹部１７ｂ、１７ｃもネジ用凹部１７ａと同様の形状であって、グリル本体１３を本体部２０にネジ止めするために設けられている。
【００３６】
図４および図５等に示すように、グリル本体１３の天井部には、吸込口１３ａが形成されている。図４および図７等に示すように、グリル本体１３の下部には、吹出口１３ｂが形成されている。吹出口１３ｂは、左右方向に長い矩形状の開口である。
【００３７】
図４および図７等に示すように、グリル本体１３は、前面の上側略半分に、開口部１３ｃを有している。この開口部１３ｃの内側には、防塵フィルタユニット３０の前端部と清掃ユニット４０とが配置されている。また、開口部１３ｃの下方には、左右方向に細長い矩形状の２つの挿入口１３ｄが、左右に並んで形成されている。図５等に示すように、この挿入口１３ｄから脱臭フィルタユニット５０が本体部２０内に挿入されている。
【００３８】
図７等に示すように、２つの挿入口１３ｄの下方には、収容部１３ｅと凹部６５が左右に並んで形成されている。収容部１３ｅは、室内機１の長手方向の中央より左側に形成されており、凹部６５は、室内機１の長手方向のほぼ中央に形成されている。図１０等に示すように、収容部１３ｅ内には取付部６３が配置され、この取付部６３内にはストリーマ放電ユニット６０のストリーマ放電部（電気機器）６１が配置されている。また、凹部６５の前側には、凹部６５を覆うように蓋部６６が配置されている。
【００３９】
図３に示すように、グリル本体１３の前面の下端部には、４つのフック係合部１８ａ、１８ｂ、１８ｃ、１８ｄが略左右方向に並んで形成されている。このフック係合部１８ａ〜１８ｄには、前面パネル１２の裏面に形成されたフック１２ａ〜１２ｄが係合されており、前面パネル１２を閉状態に保持している。
【００４０】
（前面パネル１２）
図２に示すように、前面パネル１２は、グリル１１の前側に配置され、その左右両端の上端部が、グリル１１に対して回転可能に取り付けられている。これにより、前面パネル１２は、グリル１１に対して開閉可能となっている。前面パネル１２の裏面の下端部には、４つのフック１２ａ〜１２ｄが形成されている。
【００４１】
図４、図９および図１０に示すように、前面パネル１２の下端部は、グリル１１の前面に密着しておらず、両者の間には隙間が形成されている。この隙間のうち、ストリーマ放電部６１の下方の部分（図９および図１０に表れている部分）が、補助吸込口３を構成している。
【００４２】
また、図４に示すように、前面パネル１２の裏面とこれに対向する面（グリル１１の前面、脱臭フィルタユニット５０の前面、および清掃ユニット４０の前面）との間には、隙間が形成されている。この隙間の一部が、補助流路４の一部を構成している。具体的には、図９および図１０に示すように、グリル１１の前面のうち収容部１３ｅの下方の部分と、前面パネル１２の裏面との隙間が、第１流路４ａを構成している。また、図４に示すように、蓋部６６（活性種放出部６２）の前面、２つの脱臭フィルタユニット５０の前面のうち蓋部６６の上方の部分、および、清掃ユニット４０の前面のうち蓋部６６の上方の部分と、前面パネル１２の裏面との隙間が、第５流路４ｅを構成している。
【００４３】
［本体部２０］
図４に示すように、本体部２０には、グリル１１に形成された吸込口１３ａと吹出口１３ｂとを連通させる主流路２が形成されている。主流路２の吹出口１３ｂ近傍には、水平羽根２０ｂが設けられている。水平羽根２０ｂは、吹出口１３ｂから吹き出される空気流の上下方向の風向きを変更すると共に、吹出口１３ｂの開閉を行う。
【００４４】
主流路２にはファン２１と熱交換器２２が配置されている。ファン２１は、軸流ファン２１と呼ばれるものであって、その軸方向が左右方向に沿うように配置されている。ファン２１は、上前方の空気を吸い込んで、下後方に吹き出すようになっている。熱交換器２２は、ファン２１の上方と前方を取り囲むように配置されている。
【００４５】
［防塵フィルタユニット３０］
図４および図５に示すように、２つの防塵フィルタユニット３０は、グリル１１内の吸込口１３ａに近接する位置に左右に並んで配置されている。防塵フィルタユニット３０は、防塵フィルタ３１と、フレーム３２とから構成されている。防塵フィルタ３１は、通過する空気中に含まれる比較的大きな埃等を捕捉するためのものであって、合成樹脂製の網で構成されている。防塵フィルタ３１は、環状に形成されており、フレーム３２は、この環状の防塵フィルタ３１を内側から保持するように構成されている。また、フレーム３２は、防塵フィルタ３１の内側の前端に配置されたピニオン３２ａを有する。このピニオン３２ａは、本体部２０に設けられたモータ（図示省略）によって回転駆動される。
【００４６】
［清掃ユニット４０］
清掃ユニット４０は、防塵フィルタ３１を掃除するためのものであって、図４に示すように、防塵フィルタ３１の前端部の下方に配置されている。清掃ユニット４０は、左右方向に延在する回転ブラシ４１と、回転ブラシ４１についた埃を掻き出すための櫛４２と、この櫛４２の前方に近接して設けられ、左右方向に延在して回転する圧縮ローラ４３と、圧縮ローラ４３と櫛４２との間で圧縮された埃が収納されるダストボックス４４とを備えている。
【００４７】
防塵フィルタユニット３０のピニオン３２ａを回転させると、防塵フィルタ３１は、清掃ユニット４０の回転ブラシ４１に表面が当接した状態で回転する。これにより、防塵フィルタ３１に付着した埃等は、回転ブラシ４１により取り除かれる。取り除かれた埃等は、圧縮ローラ４３により圧縮されてダストボックス４４に収納される。
【００４８】
［脱臭フィルタユニット５０］
図４に示すように、脱臭フィルタユニット５０は、脱臭フィルタ５１と、フレーム５２とから構成されている。脱臭フィルタ５１は、防塵フィルタ３１の前端部と対向するように、防塵フィルタ３１の前端部と熱交換器２２との間に位置している。脱臭フィルタ５１は、例えばハニカム構造の基材の表面に吸着剤とプラズマ触媒とを担持させたものである。吸着剤は、空気中の臭気成分や有害成分を吸着するものであって、具体的には、ゼオライトや活性炭が用いられる。プラズマ触媒は、ストリーマ放電部６１で生成した活性種を活性化させて、有害成分や臭気成分の分解を促進させるものであって、具体的には、マンガン系触媒や貴金属系触媒などが用いられる。
【００４９】
［ストリーマ放電ユニット６０］
図４等に示すように、ストリーマ放電ユニット（活性種生成装置）６０は、主流路２から外れた位置に、前面パネル１２の裏面と対向するように配置されている。ストリーマ放電ユニット６０は、ストリーマ放電部（電気機器）６１と、活性種放出部６２と、取付部６３と、補助防塵フィルタ６４とを有している。
【００５０】
（取付部６３および補助防塵フィルタ６４）
上述したように、取付部６３は、グリル１１の構成部品の１つであって、グリル本体１３に形成された収容部１３ｅ内に配置されている。収容部１３ｅは、後方に凹んだ形状に形成されている。取付部６３は、前方が開口した略直方体状の箱状に形成されている。この取付部６３内には、ストリーマ放電部６１が着脱可能に配置されている。
【００５１】
図９および図１４等に示すように、取付部６３の下壁６３ａには、補助吸込口３から吸い込まれた空気をストリーマ放電部６１に流入させるための流入口６３ｂが形成されている。図１４に示すように、取付部６３の右壁６３ｃの前端部には、矩形状の切欠部６３ｄが形成されている。この切欠部６３ｄは、ストリーマ放電部６１内の空気を流出させる流出口となっている。図１４および図１０に示すように、取付部６３の後壁６３ｅには、２つの貫通孔６３ｆが形成されている。この２つの貫通孔６３ｆには、ストリーマ放電部６１の後述する２つの接続突起６１ａ、６１ｂが挿通されている。
【００５２】
また、図１４に示すように、取付部６３の左壁６３ｈには、ストリーマ放電部６１の係合爪（第１係合部）７３ａと係合する係合孔（第２係合部）６７ａが形成されている。また、取付部６３の右壁６３ｃには、ストリーマ放電部６１の係合爪（第１係合部）７３ｂと係合する係合孔（第２係合部）６７ｂが形成されている。
【００５３】
図９および図１４等に示すように、取付部６３は、流入口６３ｂの左右両端部の前方に、前面パネル１２とほぼ直交する方向に延在する２つのガイドレール６３ｇを有する。このガイドレール６３ｇと取付部６３の下壁６３ａとの間に、矩形板状であって、防塵フィルタ３１と同様の合成樹脂製の網を有する補助防塵フィルタ６４が保持されている。また、図８および図９等に示すように、この補助防塵フィルタ６４と収容部１３ｅの下壁との間には隙間（第２流路）４ｂが形成されている。第２流路４ｂは、補助流路４の一部を構成している。
【００５４】
（ストリーマ放電部６１）
図１５に示すように、ストリーマ放電部６１は、絶縁性合成樹脂で形成された筐体部７１と、筐体部７１と一体的に形成されている補強部７８、７９と、絶縁性合成樹脂で形成された蓋部７２と、筐体部７１と蓋部７２で囲まれた空間内に配置される放電電極板８１、放電針８２および対向電極板８５と、放電電極板８１に電気的に接続される接続板（接続部）８３と、対向電極板８５に電気的に接続される接続板（接続部）８６とを有している。
【００５５】
図９および図１５等に示すように、筐体部７１は、前方が開口した直方体状の略箱状に形成されている。筐体部７１内の空間（第３流路）４ｃは、補助流路４の一部を構成している。筐体部７１の下壁７１ａには、補助吸込口３から吸い込まれた空気を筐体部７１内に流入させる流入口７１ｂが形成されている。図１５に示すように、筐体部７１の右壁７１ｃの前端部には、矩形状の切欠部７１ｄが形成されている。この切欠部７１ｄは、筐体部７１内の空気を流出させる流出口となっている。
【００５６】
また、図１５および図１６に示すように、筐体部７１の右壁７１ｃには、係合爪（第１係合部）７３ｂが形成されている。この係合爪７３ｂの周囲には溝が形成されており、係合爪７３ｂは、左右方向に押圧された場合にたわみ変形可能となっている。取付部６３内に筐体部７１を挿入する際には、係合爪７３ｂは、取付部６３の右壁６３ｃによって筐体部７１の内側に押圧されつつ移動した後、係合孔６７ｂに嵌り込む。また、筐体部７１の左壁７１ｆには、係合爪７３ｂと同様の形状の係合爪（第１係合部）７３ａが形成されている。この係合爪７３ａは、取付部６３の左壁６３ｈの係合孔６７ａと係合する。係合爪７３ａ、７３ｂと係合孔６７ａ、６７ｂとの係合によって、筐体部７１は、取付部６３（グリル１１）に保持されている。
【００５７】
図９および図１６等に示すように、筐体部７１は、後壁７１ｅから前方（詳細には、後壁７１ｅに対して垂直方向）に突出する４本の電極板支持柱７４〜７７を有している。電極板支持柱７４〜７７は、略左右方向に並んで配置されている。内側の２本の電極板支持柱７５、７６の後壁７１ｅからの突出長さは、互いに同じである。外側の２本の電極板支持柱７４、７７の後壁７１ｅからの突出長さは、互いに同じであって、電極板支持柱７５、７６よりも長い。電極板支持柱７４〜７７には、ネジ孔７４ａ〜７７aが形成されている。電極板支持柱７５、７７には、ネジ孔７５ａ、７７aの下方に、貫通孔７５ｂ、７７ｂが形成されている。貫通孔７５ｂ、７７ｂは、筐体部７１の後壁７１ｅを貫通している。
【００５８】
補強部７８、７９は、筐体部７１と一体的に形成されており、筐体部７１の後壁７１ｅから後方（詳細には、後壁７１ｅに対して垂直方向）に突出している。補強部７８、７９は、それぞれ、貫通孔７５ｂ、７７ｂの内面のうち上側の部分と連続するように形成されている。
【００５９】
図９等に示すように、蓋部７２は、筐体部７１の前方の開口を覆っている。図３および図１５等に示すように、蓋部７２は、略矩形状に形成されている。蓋部７２は、その下端部の左端に、下方に突出する突出部７２ａを有している。図８（ａ）に示すように、ストリーマ放電部６１がグリル１１に取り付けられた状態では、蓋部７２の突出部７２ａは、ネジ用凹部１７ａ内のネジ１６の一部を覆っている。
【００６０】
図１５に示すように、放電電極板８１は、細長い矩形状の金属板であって、その長手方向の両端部が電極板支持柱７５、７６の前端にネジ８４で固定されている。図９および図１０に示すように、放電電極板８１は、筐体部７１の後壁７１ｅと平行（前面パネル１２と平行）であって、左右方向に延在している。また、図１５に示すように。放電電極板８１は、ネジ８４が挿通される孔の下方に、接続板８３が挿通される貫通孔８１ａを有している。
【００６１】
また、図９および図１５等に示すように、放電電極板８１には、前方に向かって突出する２つの放電針保持部８１ｂが、左右に並んで形成されている。放電針保持部８１ｂは、筐体部７１の下壁７１ａと平行である。放電針保持部８１ｂの前端部は折り返されており、この折り返し部分に放電針８２が挟み込まれている。放電針８２は、左右方向に延在しており、両端部が放電針保持部８１ｂから突出している。放電針８２は、線径が例えば０．２ｍｍのタングステン線で構成されている。
【００６２】
図１５に示すように、接続板８３は、一端が垂直に折り曲げられた細長い略矩形状の金属板である。図１０に示すように、接続板８３は、放電電極板８１の貫通孔８１ａと電極板支持柱７５の貫通孔７５ｂに挿通されているとともに、垂直に折り曲げられた前記一端部（前端部）が、放電電極板８１と共にネジ８４で電極板支持柱７５に固定されている。接続板８３の後側略半分は、補強部７８に沿って配置されている。接続板８３の後端部には、下方に突出するように折り曲げられた屈曲部８３ａが形成されている。
【００６３】
図１５に示すように、対向電極板８５は、放電電極板８１よりも大きい矩形状の金属板であって、その長手方向の両端部が電極板支持柱７４、７７の前端にネジ８７で固定されている。図９および図１０に示すように、対向電極板８５は、放電電極板８１の前方に、放電電極板８１と平行に配置されている。また、図１５に示すように、対向電極板８５は、ネジ８７が挿通される孔の下方に、接続板８６が挿通される貫通孔８５ａを有している。
【００６４】
図１５に示すように、接続板８６は、接続板８３とほぼ同様の形状の金属板であって、その長手方向長さが接続板８３よりも長い。接続板８６は、対向電極板８５の貫通孔８５ａと電極板支持柱７７の貫通孔７７ｂに挿通されているとともに、垂直に折り曲げられた一端部（前端部）が、対向電極板８５と共にネジ８７で電極支持柱７７に固定されている。接続板８６の後端部には、接続板８３の屈曲部８３ａと同様の形状の屈曲部８６ａが形成されている。
【００６５】
図１０に示すように、接続板８３のうち後壁７１ｅから後方に突出している部分と、補強部７８とを合わせて、接続突起６１ａとする。接続突起６１ａは、取付部６３の貫通孔６３ｆを貫通し、その先端部が、本体部２０に設けられた本体接続板（本体接続部）２０ｃと挟持ブロック２０ｄとの間に挿抜可能に配置されている。また、接続板８６のうち後壁７１ｅから後方に突出している部分と、補強部７９とを合わせて、接続突起６１ｂとする。図示は省略するが、接続突起６１ｂは、接続突起６１ａと同様に、取付部６３の貫通孔６３ｆを貫通し、その先端部が、本体部２０に設けられた本体接続板２０ｃと挟持ブロック２０ｄとの間に挿抜可能に配置されている。したがって、ストリーマ放電部６１は、筐体部７１がグリル１１の取付部６３に着脱可能に保持されていると共に、接続突起６１ａ、６１ｂが本体部２０に着脱可能に取り付けられている。
【００６６】
ここで、本体部２０に設けられた本体接続板２０ｃおよび挟持ブロック２０ｄについて説明する。
本体接続板２０ｃは、１８０度折り曲げられた金属板であって、左右方向に並んで２つ配置されている。２つの本体接続板２０ｃは、それぞれ、接続板８３、８６と接触して電気的に接続されている。接続板８３に電気的に接続される本体接続板２０ｃは、電装品ユニット２３内の電源部の正極側に接続されている。また、接続板８６に電気的に接続される本体接続板２０ｃは、電源部の負極側（アース側）に接続されている。挟持ブロック２０ｄは、２つの本体接続板２０ｃの上方に配置されている。本体接続板２０ｃと挟持ブロック２０ｄとの間に接続突起６１ａが配置されている状態では、本体接続板２０ｃと接続板８３の屈曲部８３ａは、互いに押圧されて弾性変形しており、接続突起６１ａは、本体接続板２０ｃと挟持ブロック２０ｄとの間で挟持されている。接続突起６１ｂについても同様である。
【００６７】
ストリーマ放電部６１においては、放電針８２に電圧が印加されると、放電針８２の両端から対向電極板８５に向かってストリーマ放電が発生し、これにより、低温プラズマが生成される。この低温プラズマによって、高速電子、イオン、水酸化ラジカル、励起酸素分子などの活性種が生成される。これらの活性種は、アンモニア類や、アルデヒド類、窒素酸化物等の小さな有機分子からなる空気中の有害成分や臭気成分を分解する能力を有する。
【００６８】
（活性種放出部６２）
図４に示すように、活性種放出部６２は、凹部６５とこの凹部６５を覆う蓋部６６とから構成されている。図７に示すように、凹部６５は、前側と左側とが開口した略直方体状の箱状に形成されている。凹部６５内の空間（第４流路４ｄ）は、補助流路４の一部を構成している。凹部６５の左側の開口は、ストリーマ放電部６１の切欠部７１ｄから（取付部６３の切欠部６３ｄを介して）流出した空気を凹部６５内に供給する供給口６５ａとなっている。また、凹部６５の左右方向略中央の下部にはフック係合部１８ｂが設けられており、凹部６５はこのフック係合部１８ｂを取り囲むように形成されている。
【００６９】
蓋部６６は、左右方向に細長い略矩形状の板部材である。蓋部６６には、複数の円形孔６６ａが形成されている。この複数の円形孔６６ａが、凹部６５内の空気を放出させる放出口となっている。
【００７０】
＜補助流路４＞
補助流路４は、前面パネル１２の裏面とグリル１１との隙間で構成される第１流路４ａと（図９参照）、収容部１３ｅの内壁と補助防塵フィルタ６４との隙間で構成される第２流路４ｂ（図９参照）と、ストリーマ放電部６１内の第３流路４ｃ（図９参照）と、活性種放出部６２内の第４流路４ｄ（図４参照）と、活性種放出部６２の前面およびその上側の面と、前面パネル１２の裏面との隙間で構成される第５流路４ｅ（図４参照）で構成されている。補助吸込口３から吸い込まれた空気は、第１流路４ａ、第２流路４ｂ、第３流路４ｃ、第４流路４ｄ、第５流路４ｅを順に通って、主流路２における防塵フィルタ３１の上流側に送られる（図３中、矢印で示した空気の流れ参照）。
【００７１】
＜室内機１の動作＞
次に、室内機１の動作について説明する。
ファン２１を駆動させることにより、吸込口１３ａと、前面パネル１２の下端とグリル１１との隙間とから室内の空気がケーシング１０内に吸い込まれる。
【００７２】
吸込口１３ａから吸い込まれた空気は、まず、防塵フィルタ３１を通過する。このとき、空気に含まれる比較的大きな埃等が除去される。防塵フィルタ３１を通過した空気の一部は、脱臭フィルタ５１を通過する。このとき、空気に含まれる有害成分や臭気成分が除去されて脱臭および除菌される。その後、空気は熱交換器２２を通過して熱交換されてから、ファン２１を通過して吹出口１３ｂから吹き出される。
【００７３】
図９に示すように、前面パネル１２の下端とグリル１１との隙間のうち、ストリーマ放電部６１の下方の部分、即ち、補助吸込口３から吸い込まれた空気は、第１流路４ａを通って、第２流路４ｂに流入した後、補助防塵フィルタ６４を通過してストリーマ放電部６１（第３流路４ｃ）に流入する。なお、補助防塵フィルタ６４を通過する際に、空気に含まれる比較的大きな埃等が除去される。
【００７４】
ストリーマ放電部６１内では、放電針８２と対向電極板８５との間でストリーマ放電が生じ、これにより、活性種が生成される。この活性種によって、空気中の有害成分や臭気成分が分解される。
【００７５】
ストリーマ放電部６１内の空気は、供給口６５ａから活性種放出部６２（第４流路４ｄ）に流入し、活性種放出部６２内で拡散されてから、複数の円形孔６６ａから前面パネル１２の裏面に向かって放出される。図４に示すように、複数の円形孔６６ａから放出された空気は、第５流路４ｅを通って、主流路２における防塵フィルタ３１の上流側に導かれる。そして、この空気は防塵フィルタ３１と脱臭フィルタ５１とを通過した後、熱交換器２２とファン２１を通過して、吹出口１３ｂから吹き出される。ストリーマ放電ユニット６０から放出された空気が脱臭フィルタ５１を通過する際、空気に含まれる活性種は、プラズマ触媒によって活性化されると共に、脱臭フィルタ５１に吸着された有害成分や臭気成分を分解する。これにより、脱臭フィルタ５１は吸着性能が再生される。また、ストリーマ放電ユニット６０から放出された空気は、第５流路４ｅによって主流路２に導かれているため、主流路２内の空気に含まれる有害成分や臭気成分を活性種で分解することができる。
【００７６】
＜グリル１１の取り外しおよび取り付け手順＞
次に、本体部２０のメンテナンス等のために、グリル１１を本体部２０から取り外す場合の手順について説明する。
まず、前面パネル１２を開いて、清掃ユニット４０をグリル１１と本体部２０から取り外す。次に、ストリーマ放電部６１をグリル１１と本体部２０から引き抜いて取り外す。そして、３つのネジ用凹部１７ａ〜１７ｃ内のネジ１６を外した後、グリル１１を本体部２０から取り外す。このとき、脱臭フィルタユニット５０は、グリル１１と共に本体部２０から取り外される。
【００７７】
取り外されたグリル１１等を本体部２０に取り付ける場合には、防塵フィルタユニット３０が装着されていない状態の本体部２０に対してグリル１１を取り付けて、ネジ１６によってグリル１１を本体部２０に固定する。ネジ止めの後、ストリーマ放電部６１を取付部６３内に挿入して、筐体部７１の係合爪７３ａ、７３ｂを取付部６３の係合孔６７ａ、６７ｂに係合させると共に、接続突起６１ａ、６１ｂを取付部６３の貫通孔ｆに挿通して、接続突起６１ａ、６１ｂを本体接続板２０ｃと挟持ブロック２０ｄとの間に挟持させる。
【００７８】
接続突起６１ａ、６１ｂが、本体接続板２０ｃと挟持ブロック２０ｄとの間に挟持される過程を詳細に説明すると、接続板８３、８６の屈曲部８３ａ、８６ａが本体接続板２０ｃの先端部と接触した後、接続板８３、８６は本体接続板２０ｃに押圧されて、屈曲部８３ａ、８６ａの角度が広くなる方向に弾性変形する。一方、本体接続板２０ｃは屈曲部８３ａ、８６ａに押圧されて、曲がり角度が小さくなる方向に弾性変形する。したがって、ストリーマ放電部６１を本体部２０に装着するために必要となる押圧力は、ストリーマ放電部６１の本体部２０への装着完了前において増加する。
【００７９】
また、グリル１１を本体部２０にネジ止めした後で、清掃ユニット４０と、防塵フィルタユニット３０と、脱臭フィルタユニット５０を取り付ける。これは、ストリーマ放電部６１の取り付けの前でも後でもよい。
【００８０】
＜本実施形態の室内機１の特徴＞
本実施形態の室内機１では、ストリーマ放電部６１を本体部２０から取り外さないと、グリル１１を本体部２０から取り外すことができないようになっている。そのため、ストリーマ放電部６１は、グリル１１が本体部２０から取り外される前に、必ず、本体部２０から単独で取り外される。したがって、グリル１１がストリーマ放電部６１ごと本体部２０から取り外されることがなくなることから、グリル１１とストリーマ放電部６１は本体部２０に対して個別に取り付けられるようになる。その結果、ストリーマ放電部６１の接続板８３、８６と本体接続板２０ｃとの間における電気的な接続不良を防止することができる。
【００８１】
本実施形態の室内機１では、ストリーマ放電部６１の蓋部７２の突出部７２ａでネジ１６を覆うという簡易な構成によって、ストリーマ放電部６１がグリル１１と本体部２０に装着されているときにグリル１１を本体部２０から取り外せないようにできている。
【００８２】
また、本実施形態の室内機１では、ストリーマ放電部６１の突出部７２ａによってネジ１６は完全には覆われておらず一部分のみが覆われているため、ネジ１６は目視可能となっている。そのため、グリル１１を本体部２０から取り外す際に、ネジ１６を作業者が確認できるため、取り外し作業に支障を来さない。
【００８３】
また、本実施形態の室内機１では、接続板８３、８６と本体接続板２０ｃは弾性変形可能な金属板で構成されており、ストリーマ放電部６１が本体部２０に取り付けられている状態において、互いに押圧されて弾性変形した状態で接触している。したがって、本体接続板２０ｃと接続板８３、８６とを確実に接触させることができる。
さらに、ストリーマ放電部６１を本体部２０に装着するために必要となる押圧力は、ストリーマ放電部６１の本体部２０への装着完了前において増加するようになっている。そのため、ストリーマ放電部６１を本体部２０に押し込んで装着することにより、ストリーマ放電部６１の接続板８３、８６が本体部２０から抜けにくくなると共に、接続板８３、８６と本体接続板２０ｃとを安定して電気的に接続させることができる。
【００８４】
また、本実施形態の室内機１では、ストリーマ放電部６１が係合爪７３ａ、７３ｂを有し、グリル１１が係合爪７３ａ、７３ｂと係合する係合孔６７ａ、６７ｂを有しているため、係合爪７３ａ、７３ｂと係合孔６７ａ、６７ｂとの係合によって、ストリーマ放電部６１をグリル１１に確実に保持させることができる。
【００８５】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、後述する変更形態は、適宜組み合わせて実施することも可能である。
【００８６】
上記実施形態では、ストリーマ放電部６１の蓋部７２の突出部７２ａは、ネジ１６の一部を覆うように構成されているため、ネジ１６は目視可能となっているが（図８（ａ）参照）、突出部７２ａを透明な合成樹脂で形成することで、ネジ１６が目視可能となっていてもよい。この場合、突出部７２ａはネジ１６を完全に覆っていても、一部分のみを覆っていてもよい。
【００８７】
上記実施形態では、ストリーマ放電部６１に係合爪７３ａ、７３ｂが設けられ、グリル１１（取付部６３）に、この係合爪７３ａ、７３ｂと係合する係合孔６７ａ、６７ｂが設けられているが、係合爪７３ａ、７３ｂと係合孔６７ａ、６７ｂを設ける代わりに、ストリーマ放電部６１と本体部２０に、互いに係合する係合爪と係合孔を設けてもよい。
【００８８】
ストリーマ放電部６１の接続部と、本体部２０の本体接続部との接続構造は、上記実施形態の構成に限定されるものではない。例えば接続部が係合爪を有し、本体接続部がこの係合爪と係合する係合溝を有しており、接続部と本体部とが係合しつつ、電気的に接続される構成であってもよい。
【００８９】
上記実施形態では、本発明の活性種生成装置として、ストリーマ放電によって活性種を生成する装置（ストリーマ放電ユニット６０）が用いられているが、グロー放電やバリア放電で活性種を生成する活性種生成装置を用いてもよい。また、光触媒に紫外線を照射することで活性種を生成する活性種生成装置を用いてもよい。
【００９０】
上記実施形態では、本発明の電気機器として、ストリーマ放電ユニット（活性種生成装置）６０のストリーマ放電部６１を適用した例を挙げて説明したが、本発明の電気機器はこれに限定されるものではない。例えば、ストリーマ放電ユニット６０が、本発明の電気機器に相当するように構成されていてもよい。つまり、ストリーマ放電ユニット６０全体が、グリル１１と本体部２０に対して着脱可能に構成されていてもよい。
【００９１】
上記実施形態では、壁据付型の室内機に本発明を適用した一例を説明したが、本発明は、床置型の室内機に適用してもよい。
【産業上の利用可能性】
【００９２】
本発明を利用すれば、電気機器と本体部との間における電気的な接続不良を防止することができる。
【符号の説明】
【００９３】
１  室内機
１１  グリル
１７ａ、１７ｂ、１７ｃ  ネジ用凹部
１６  ネジ（固定部材）
２０  本体部
２０ｃ  本体接続板（本体接続部）
２０ｄ  挟持ブロック
２１  ファン
２２  熱交換器
６０  ストリーマ放電ユニット（活性種生成装置）
６１  ストリーマ放電部（電気機器）
６７ａ、６７ｂ  係合孔（第２係合部）
７２  蓋部
７２ａ  突出部
７３ａ、７３ｂ  係合爪（第１係合部）
８３、８６  接続板（接続部）
【図１】
0005316500.tif 000002
【図２】
0005316500.tif 000003
【図３】
0005316500.tif 000004
【図４】
0005316500.tif 000005
【図５】
0005316500.tif 000006
【図６】
0005316500.tif 000007
【図７】
0005316500.tif 000008
【図８】
0005316500.tif 000009
【図９】
0005316500.tif 000010
【図１０】
0005316500.tif 000011
【図１１】
0005316500.tif 000012
【図１２】
0005316500.tif 000013
【図１３】
0005316500.tif 000014